(57)【要約】特定のアクセスネットワークに接続可能な無線端末装置を無線インタフェースの異なる複数のアクセスネットワークに接続可能にし、さらに接続切り替え可能にする。  無線端末装置を無線インタフェースが異なる複数のアクセスネットワークのいずれかに無線接続し、無線端末装置とアクセスネットワークとの間を中継処理を行う無線中継装置において、無線端末装置に無線接続するローカル側無線接続部と、複数のアクセスネットワークにそれぞれ無線接続する複数のネットワーク側無線接続部と、ローカル側無線接続部が無線端末装置のアクセス信号を受信したときに複数のネットワーク側無線接続部を起動し、最初に無線接続を確立したネットワーク側無線接続部とローカル側無線接続部とを接続し、無線端末装置を当該ネットワーク側無線接続部に対応するアクセスネットワークに接続する接続制御部とを備える。
2009031282.tif 000002
【特許請求の範囲】
【請求項１】
無線端末装置を無線インタフェースが異なる複数のアクセスネットワークのいずれかに無線接続し、無線端末装置とアクセスネットワークとの間を中継処理を行う無線中継装置において、
前記無線端末装置に無線接続する無線インタフェースを有するローカル側無線接続部と、
前記複数のアクセスネットワークにそれぞれ無線接続する無線インタフェースを有する複数のネットワーク側無線接続部と、
前記ローカル側無線接続部が前記無線端末装置のアクセス信号を受信したときに前記複数のネットワーク側無線接続部を起動し、最初に無線接続を確立したネットワーク側無線接続部と前記ローカル側無線接続部とを接続し、前記無線端末装置を当該ネットワーク側無線接続部に対応するアクセスネットワークに接続する接続制御部と
を備えたことを特徴とする無線中継装置。
【請求項２】
請求項１に記載の無線中継装置において、
前記複数のネットワーク側無線接続部は、それぞれ接続するアクセスネットワークとの間の電波状態をモニタして前記接続制御部に通知する構成であり、
前記接続制御部は、前記複数のネットワーク側無線接続部から通知されたアクセスネットワークとの間の電波状態を比較し、前記最初に無線接続を確立したネットワーク側無線接続部よりも電波状態の良好なネットワーク側無線接続部があれば、その中で最良の電波状態のネットワーク側無線接続部に接続切り替えを行う構成である
ことを特徴とする無線中継装置。
【請求項３】
請求項２に記載の無線中継装置において、
前記ネットワーク側無線接続部は、前記電波状態として、受信レベル、実効スループット、遅延量、干渉量の少なくとも１つをモニタする構成である
ことを特徴とする無線中継装置。
【請求項４】
請求項２に記載の無線中継装置において、
前記接続制御部は、前記複数のアクセスネットワークの優先順位および接続料金の情報を備え、前記電波状態と合わせてこれらのパラメータを比較判断し、１つのネットワーク側無線接続部を選択して前記ローカル側無線接続部と接続する構成である
ことを特徴とする無線中継装置。
【請求項５】
請求項１に記載の無線中継装置において、
前記複数のアクセスネットワークの１つ、前記複数のネットワーク側無線接続部の１つ、前記ローカル側無線接続部および前記無線端末装置をそれぞれ無線ＬＡＮに対応する構成とし、
前記無線ＬＡＮ対応のネットワーク側無線接続部とローカル側無線接続部が前記接続制御部を介して相互接続しているときに、前記ネットワーク側無線接続部が使用しているネットワーク側無線ＬＡＮチャネル番号を取得し、そのネットワーク側無線ＬＡＮチャネル番号と前記ローカル側無線接続部が使用しているローカル側無線ＬＡＮチャネル番号が同一または近接していることを検出したときに、前記ローカル側無線ＬＡＮチャネル番号を前記ネットワーク側無線ＬＡＮチャネル番号と同一かつ近接しない他のチャネル番号に変更する制御を行うチャネル変更手段を備え、
前記ローカル側無線接続部は、前記チャネル変更手段からチャネル番号の変更制御があったときに、前記無線端末装置との間の無線チャネルを変更したチャネル番号に切り替える機能を有する構成である
ことを特徴とする無線中継装置。
【請求項６】
請求項１に記載の無線中継装置において、
前記複数のアクセスネットワークの１つ、前記複数のネットワーク側無線接続部の１つ、前記ローカル側無線接続部および前記無線端末装置をそれぞれ無線ＬＡＮに対応する構成とし、
前記無線ＬＡＮ対応のネットワーク側無線接続部とローカル側無線接続部が前記接続制御部を介して相互接続しているときに、当該ネットワーク側無線接続部が使用しているネットワーク側無線ＬＡＮチャネル番号を取得し、そのネットワーク側無線ＬＡＮチャネル番号と前記ローカル側無線接続部が使用しているローカル側無線ＬＡＮチャネル番号が相互干渉するチャネル番号であることを検出したときに、前記ローカル側無線ＬＡＮチャネル番号を前記ネットワーク側無線ＬＡＮチャネルとの干渉による品質劣化が小さい他のチャネル番号に変更する制御を行うチャネル変更手段を備え、
前記ローカル側無線接続部は、前記チャネル変更手段からチャネル番号の変更制御があったときに、前記無線端末装置との間の無線チャネルを変更したチャネル番号に切り替える機能を有する構成である
ことを特徴とする無線中継装置。
【請求項７】
請求項１に記載の無線中継装置において、
前記複数のアクセスネットワークの１つ、前記複数のネットワーク側無線接続部の１つ、前記ローカル側無線接続部および前記無線端末装置をそれぞれ無線ＬＡＮに対応する構成とし、
前記無線ＬＡＮ対応でないネットワーク側無線接続部と前記無線ＬＡＮ対応のローカル側無線接続部が前記接続制御部を介して相互接続しているときに、前記無線ＬＡＮ対応のネットワーク側無線接続部からその周辺の無線ＬＡＮで使用されているチャネル番号を取得し、周辺の無線ＬＡＮで使用されているチャネル番号と前記ローカル側無線接続部が使用しているローカル側無線ＬＡＮチャネル番号が同一または近接していることを検出したときに、前記ローカル側無線ＬＡＮチャネル番号を周辺の無線ＬＡＮで使用されているチャネル番号と近接しない他のチャネル番号に変更する制御を行うチャネル変更手段を備え
前記ローカル側無線接続部は、前記チャネル変更手段からチャネル番号の変更制御があったときに、前記無線端末装置との間の無線チャネルを変更したチャネル番号に切り替える機能を有する構成である
ことを特徴とする無線中継装置。
【請求項８】
請求項１に記載の無線中継装置において、
前記複数のアクセスネットワークの１つ、前記複数のネットワーク側無線接続部の１つ、前記ローカル側無線接続部および前記無線端末装置をそれぞれ無線ＬＡＮに対応する構成とし、
前記無線ＬＡＮ対応でないネットワーク側無線接続部と前記無線ＬＡＮ対応のローカル側無線接続部が前記接続制御部を介して相互接続しているときに、前記無線ＬＡＮ対応のネットワーク側無線接続部からその周辺の無線ＬＡＮで使用されているチャネル番号を取得し、周辺の無線ＬＡＮで使用されているチャネル番号と前記ローカル側無線接続部が使用しているローカル側チャネル番号が相互干渉するチャネル番号であることを検出したときに、前記ローカル側チャネル番号を周辺の無線ＬＡＮで使用されている無線チャネルとの干渉による品質劣化が小さい他のチャネル番号に変更する制御を行うチャネル変更手段を備え、
前記ローカル側無線接続部は、前記チャネル変更手段からチャネル番号の変更制御があったときに、前記無線端末装置との間の無線チャネルを変更したチャネル番号に切り替える機能を有する構成である
ことを特徴とする無線中継装置。
【請求項９】
請求項１に記載の無線中継装置において、
前記複数のアクセスネットワークの１つおよび前記複数のネットワーク側無線接続部の１つをＷｉＭＡＸに対応する構成とし、ローカル側無線接続部および無線端末装置を無線ＬＡＮに対応する構成とし、
前記ＷｉＭＡＸ対応のネットワーク側無線接続部と前記無線ＬＡＮ対応のローカル側無線接続部が前記接続制御部を介して相互接続しているときに、前記ＷｉＭＡＸが使用しているチャネル番号と前記ローカル側無線接続部が使用しているローカル側チャネル番号が相互に干渉するチャネル番号であることを検出したときに、前記ローカル側チャネル番号をＷｉＭＡＸが使用している無線チャネルとの干渉による品質劣化が小さい他のチャネル番号に変更する制御を行うチャネル変更手段を備え、
前記ローカル側無線接続部は、前記チャネル変更手段からチャネル番号の変更制御があったときに、前記無線端末装置との間の無線チャネルを変更したチャネル番号に切り替える機能を有する構成である
ことを特徴とする無線中継装置。
【請求項１０】
請求項６、請求項８、請求項９のいずれかに記載の無線中継装置において、
前記チャネル変更手段は、前記干渉による品質劣化が小さい方から順にチャネル番号に優先度を付与し、優先度の低いチャネル番号を除いたチャネル番号の中から優先度に応じて前記ローカル側無線ＬＡＮチャネル番号を選択する構成である
ことを特徴とする無線中継装置。
【請求項１１】
無線端末装置を無線インタフェースが異なる複数のアクセスネットワークのいずれかに無線接続し、無線端末装置とアクセスネットワークとの間を中継処理を行う無線中継装置を備えた無線通信システムにおいて、
前記無線中継装置は、
前記無線端末装置に無線接続する無線インタフェースを有するローカル側無線接続部と、
前記複数のアクセスネットワークにそれぞれ無線接続する無線インタフェースを有する複数のネットワーク側無線接続部と、
前記ローカル側無線接続部が前記無線端末装置のアクセス信号を受信したときに前記複数のネットワーク側無線接続部を起動し、最初に無線接続を確立したネットワーク側無線接続部と前記ローカル側無線接続部とを接続し、前記無線端末装置を当該ネットワーク側無線接続部に対応するアクセスネットワークに接続する接続制御部と
を備えたことを特徴とする無線通信システム。
【請求項１２】
請求項１１に記載の無線通信システムにおいて、
前記複数のネットワーク側無線接続部は、それぞれ接続するアクセスネットワークとの間の電波状態をモニタして前記接続制御部に通知する構成であり、
前記接続制御部は、前記複数のネットワーク側無線接続部から通知されたアクセスネットワークとの間の電波状態を比較し、前記最初に無線接続を確立したネットワーク側無線接続部よりも電波状態の良好なネットワーク側無線接続部があれば、その中で最良の電波状態のネットワーク側無線接続部に接続切り替えを行う構成である
ことを特徴とする無線通信システム。
【発明の詳細な説明】
【技術分野】
【０００１】
本発明は、特定のアクセスネットワークに接続可能な無線端末装置を無線インタフェースの異なる様々な種類のアクセスネットワークに接続可能とし、さらに複数のアクセスネットワーク間の接続切り替えを可能にする無線中継装置および無線通信システムに関する。【０００２】
ここで、無線インタフェースの異なる様々な種類のアクセスネットワークとしては、例えば無線ＬＡＮ、携帯電話、ＰＨＳ（Personal Handy-phone System)、ＨＳＤＰＡ（High Speed Downlink Packet Access)、ＷｉＭＡＸ（Worldwide Interoperability for Microwave Access)などを想定している。本発明は、例えば無線ＬＡＮ端末装置が、無線ＬＡＮおよびその他のアクセスネットワークに接続可能とし、さらに複数のアクセスネットワーク間の接続切り替えを可能にするものである。
【背景技術】
【０００３】
従来の通信網自動切替システムは、例えば無線ＬＡＮとＰＨＳの２種類のアクセスネットワークに対応する無線端末装置を用い、電波状態に応じて、また接続料金を考慮した優先順位に応じて、それらのアクセスネットワークを適宜切り替える構成である（特許文献１）。【０００４】
また、無線ＬＡＮのサービスエリアの拡大を図るために、無線ＬＡＮ端末装置と無線ＬＡＮ基地局（アクセスポイント）との間に無線中継装置を配置するシステムや、他の無線ＬＡＮ端末装置を中継装置として機能させるシステムが提案されている（特許文献２，３）。【０００５】
また、無線インタフェースの異なるアクセスネットワーク間を無線端末装置が移動する場合に、シームレスなハンドオーバを実現するための移動管理方式が検討されている。
【特許文献１】特開２００４−１７９９５８号公報
【特許文献２】特開２００４−００７４１１号公報
【特許文献３】特開２００３−２４９９３７号公報
【発明の開示】
【発明が解決しようとする課題】
【０００６】
現在、無線インタフェースの異なる様々な種類のアクセスネットワークが提供されており、例えば無線ＬＡＮとＰＨＳの両方に対応する無線端末装置などがあるものの、すべてのアクセスネットワークに接続可能な無線端末装置はない。しかし、無線端末装置にすべてのアクセスネットワークに接続可能な機能を備えることは、無線端末装置の携帯性やコストパフォーマンスの観点からも得策ではない。【０００７】
一方、１つのアクセスネットワークのみに対応する無線端末装置が他のアクセスネットワークにも接続できる仕組みがあれば、各アクセスネットワークを個別に意識することなく、常に電波状態や料金などの観点から最適と思われるアクセスネットワークを介して所要のサービスの提供を受けることができる。【０００８】
本発明は、特定のアクセスネットワークに接続可能な無線端末装置を無線インタフェースの異なる複数のアクセスネットワークに接続可能とし、さらに複数のアクセスネットワーク間の接続切り替えを可能にする無線中継装置および無線通信システムを提供することを目的とする。
【課題を解決するための手段】
【０００９】
第１の発明は、無線端末装置を無線インタフェースが異なる複数のアクセスネットワークのいずれかに無線接続し、無線端末装置とアクセスネットワークとの間を中継処理を行う無線中継装置において、無線端末装置に無線接続する無線インタフェースを有するローカル側無線接続部と、複数のアクセスネットワークにそれぞれ無線接続する無線インタフェースを有する複数のネットワーク側無線接続部と、ローカル側無線接続部が無線端末装置のアクセス信号を受信したときに複数のネットワーク側無線接続部を起動し、最初に無線接続を確立したネットワーク側無線接続部とローカル側無線接続部とを接続し、無線端末装置を当該ネットワーク側無線接続部に対応するアクセスネットワークに接続する接続制御部とを備える。【００１０】
第１の発明の無線中継装置における複数のネットワーク側無線接続部は、それぞれ接続するアクセスネットワークとの間の電波状態をモニタして接続制御部に通知する構成であり、接続制御部は、複数のネットワーク側無線接続部から通知されたアクセスネットワークとの間の電波状態を比較し、最初に無線接続を確立したネットワーク側無線接続部よりも電波状態の良好なネットワーク側無線接続部があれば、その中で最良の電波状態のネットワーク側無線接続部に接続切り替えを行う構成である。【００１１】
第１の発明の無線中継装置におけるネットワーク側無線接続部は、電波状態として、受信レベル、実効スループット、遅延量、干渉量の少なくとも１つをモニタする構成である。【００１２】
第１の発明の無線中継装置における接続制御部は、複数のアクセスネットワークの優先順位および接続料金の情報を備え、電波状態と合わせてこれらのパラメータを比較判断し、１つのネットワーク側無線接続部を選択してローカル側無線接続部と接続する構成である。【００１３】
また、第１の発明の無線中継装置において、複数のアクセスネットワークの１つ、複数のネットワーク側無線接続部の１つ、ローカル側無線接続部および無線端末装置をそれぞれ無線ＬＡＮに対応する構成とし、無線ＬＡＮ対応のネットワーク側無線接続部とローカル側無線接続部が接続制御部を介して相互接続しているときに、ネットワーク側無線接続部が使用しているネットワーク側無線ＬＡＮチャネル番号を取得し、そのネットワーク側無線ＬＡＮチャネル番号とローカル側無線接続部が使用しているローカル側無線ＬＡＮチャネル番号が同一または近接していることを検出したときに、ローカル側無線ＬＡＮチャネル番号をネットワーク側無線ＬＡＮチャネル番号と同一かつ近接しない他のチャネル番号に変更する制御を行うチャネル変更手段を備え、ローカル側無線接続部は、チャネル変更手段からチャネル番号の変更制御があったときに、無線端末装置との間の無線チャネルを変更したチャネル番号に切り替える機能を有する構成である。【００１４】
また、第１の発明の無線中継装置において、複数のアクセスネットワークの１つ、複数のネットワーク側無線接続部の１つ、ローカル側無線接続部および無線端末装置をそれぞれ無線ＬＡＮに対応する構成とし、無線ＬＡＮ対応のネットワーク側無線接続部とローカル側無線接続部が接続制御部を介して相互接続しているときに、当該ネットワーク側無線接続部が使用しているネットワーク側無線ＬＡＮチャネル番号を取得し、そのネットワーク側無線ＬＡＮチャネル番号とローカル側無線接続部が使用しているローカル側無線ＬＡＮチャネル番号が相互干渉するチャネル番号であることを検出したときに、ローカル側無線ＬＡＮチャネル番号をネットワーク側無線ＬＡＮチャネルとの干渉による品質劣化が小さい他のチャネル番号に変更する制御を行うチャネル変更手段を備え、ローカル側無線接続部は、チャネル変更手段からチャネル番号の変更制御があったときに、無線端末装置との間の無線チャネルを変更したチャネル番号に切り替える機能を有する構成である。【００１５】
また、第１の発明の無線中継装置において、複数のアクセスネットワークの１つ、複数のネットワーク側無線接続部の１つ、ローカル側無線接続部および無線端末装置をそれぞれ無線ＬＡＮに対応する構成とし、無線ＬＡＮ対応でないネットワーク側無線接続部と無線ＬＡＮ対応のローカル側無線接続部が接続制御部を介して相互接続しているときに、無線ＬＡＮ対応のネットワーク側無線接続部からその周辺の無線ＬＡＮで使用されているチャネル番号を取得し、周辺の無線ＬＡＮで使用されているチャネル番号とローカル側無線接続部が使用しているローカル側無線ＬＡＮチャネル番号が同一または近接していることを検出したときに、ローカル側無線ＬＡＮチャネル番号を周辺の無線ＬＡＮで使用されているチャネル番号と近接しない他のチャネル番号に変更する制御を行うチャネル変更手段を備え、ローカル側無線接続部は、チャネル変更手段からチャネル番号の変更制御があったときに、無線端末装置との間の無線チャネルを変更したチャネル番号に切り替える機能を有する構成である。【００１６】
また、第１の発明の無線中継装置において、複数のアクセスネットワークの１つ、複数のネットワーク側無線接続部の１つ、ローカル側無線接続部および無線端末装置をそれぞれ無線ＬＡＮに対応する構成とし、無線ＬＡＮ対応でないネットワーク側無線接続部と無線ＬＡＮ対応のローカル側無線接続部が接続制御部を介して相互接続しているときに、無線ＬＡＮ対応のネットワーク側無線接続部からその周辺の無線ＬＡＮで使用されているチャネル番号を取得し、周辺の無線ＬＡＮで使用されているチャネル番号とローカル側無線接続部が使用しているローカル側チャネル番号が相互干渉するチャネル番号であることを検出したときに、ローカル側チャネル番号を周辺の無線ＬＡＮで使用されている無線チャネルとの干渉による品質劣化が小さい他のチャネル番号に変更する制御を行うチャネル変更手段を備え、ローカル側無線接続部は、チャネル変更手段からチャネル番号の変更制御があったときに、無線端末装置との間の無線チャネルを変更したチャネル番号に切り替える機能を有する構成である。【００１７】
また、第１の発明の無線中継装置において、複数のアクセスネットワークの１つおよび複数のネットワーク側無線接続部の１つをＷｉＭＡＸに対応する構成とし、ローカル側無線接続部および無線端末装置を無線ＬＡＮに対応する構成とし、ＷｉＭＡＸ対応のネットワーク側無線接続部と無線ＬＡＮ対応のローカル側無線接続部が接続制御部を介して相互接続しているときに、ＷｉＭＡＸが使用しているチャネル番号とローカル側無線接続部が使用しているローカル側チャネル番号が相互に干渉するチャネル番号であることを検出したときに、ローカル側チャネル番号をＷｉＭＡＸが使用している無線チャネルとの干渉による品質劣化が小さい他のチャネル番号に変更する制御を行うチャネル変更手段を備え、ローカル側無線接続部は、チャネル変更手段からチャネル番号の変更制御があったときに、無線端末装置との間の無線チャネルを変更したチャネル番号に切り替える機能を有する構成である。【００１８】
また、第１の発明の無線中継装置におけるチャネル変更手段は、干渉による品質劣化が小さい方から順にチャネル番号に優先度を付与し、優先度の低いチャネル番号を除いたチャネル番号の中から優先度に応じてローカル側無線ＬＡＮチャネル番号を選択する構成である。【００１９】
第２の発明は、無線端末装置を無線インタフェースが異なる複数のアクセスネットワークのいずれかに無線接続し、無線端末装置とアクセスネットワークとの間を中継処理を行う無線中継装置を備えた無線通信システムにおいて、無線中継装置は、無線端末装置に無線接続する無線インタフェースを有するローカル側無線接続部と、複数のアクセスネットワークにそれぞれ無線接続する無線インタフェースを有する複数のネットワーク側無線接続部と、ローカル側無線接続部が無線端末装置のアクセス信号を受信したときに複数のネットワーク側無線接続部を起動し、最初に無線接続を確立したネットワーク側無線接続部とローカル側無線接続部とを接続し、無線端末装置を当該ネットワーク側無線接続部に対応するアクセスネットワークに接続する接続制御部とを備える。【００２０】
第２の発明における複数のネットワーク側無線接続部は、それぞれ接続するアクセスネットワークとの間の電波状態をモニタして接続制御部に通知する構成であり、接続制御部は、複数のネットワーク側無線接続部から通知されたアクセスネットワークとの間の電波状態を比較し、最初に無線接続を確立したネットワーク側無線接続部よりも電波状態の良好なネットワーク側無線接続部があれば、その中で最良の電波状態のネットワーク側無線接続部に接続切り替えを行う構成である。
【発明の効果】
【００２１】
本発明は、特定のアクセスネットワークのみに接続可能な無線端末装置であっても、無線中継装置を介して無線インタフェースが異なる複数のアクセスネットワークの１つを選択して接続することができる。特に、最初に接続したアクセスネットワークの電波状態よりも良好なアクセスネットワークがあれば、当該アクセスネットワークへの接続に切り替えることにより、無線端末装置を常に電波状態が良好なアクセスネットワークに接続させることができる。また、電波状態に加えて、複数のアクセスネットワークの優先順位や接続料金を考慮した接続処理を行うことにより、無線端末装置を常に最適なアクセスネットワークに接続させることができる。【００２２】
本発明は、ネットワーク側無線ＬＡＮの無線チャネル、無線中継装置の周辺の無線ＬＡＮで使用されている無線チャネル、ＷｉＭＡＸに接続する場合の無線チャネルを考慮し、ローカル側無線ＬＡＮのチャネル番号を設定、または動的に変更する。これにより、ネットワーク側無線ＬＡＮや周辺の無線ＬＡＮやＷｉＭＡＸと、ローカル側無線ＬＡＮとの間で、双方の通信品質を確保することができる。
【図面の簡単な説明】
【００２３】
【図１】本発明の第１の実施形態を示す図。
【図２】本発明の第２の実施形態を示す図。
【図３】無線チャネル間の干渉パターンの例を示す図。
【図４】第３の実施形態におけるローカル側無線ＬＡＮのチャネル番号に付与される優先度の例を示す図。
【図５】第４の実施形態におけるローカル側無線ＬＡＮのチャネル番号に付与される優先度の例を示す図。
【図６】本発明の第５の実施形態を示す図。
【図７】第５の実施形態におけるローカル側無線ＬＡＮのチャネル番号に付与される優先度の例を示す図。
【図８】本発明の第６の実施形態を示す図。
【図９】第６の実施形態におけるローカル側無線ＬＡＮのチャネル番号に付与される優先度の例を示す図。
【図１０】本発明の第７の実施形態を示す図。
【発明を実施するための最良の形態】
【００２４】
（第１の実施形態）
図１は、本発明の第１の実施形態を示す。
図において、無線端末装置２１は、無線端末装置２１のユーザが管理する無線中継装置１を介して、無線インタフェースの異なる複数のアクセスネットワーク１１，１２，１３のいずれかの無線基地局（ＡＰ）に接続され、さらに各アクセスネットワーク１１，１２，１３のいずれかを介して基幹ネットワーク１０に接続される。【００２５】
無線中継装置１は、アクセスネットワーク１１，１２，１３とそれぞれ個別に無線接続するネットワーク側無線接続部１０１，１０２，１０３と、無線端末装置２１と無線接続するローカル側無線接続部２０１を備える。また、ネットワーク側無線接続部１０１，１０２，１０３とローカル側無線接続部２０１との間の接続を制御する接続制御部３０１を備える。接続制御部３０１は、アクセスネットワーク１１，１２，１３とネットワーク側無線接続部１０１，１０２，１０３との間の電波状態をそれぞれモニタし、電波状態の良好なネットワーク側無線接続部１０１，１０２，１０３の１つを選択してローカル側無線接続部２０１に接続する。また、接続制御部３０１は、アクセスネットワーク１１，１２，１３ごとの接続料金情報や優先順位情報を設定した接続情報設定部３０２を接続し、当該接続情報を参照して接続するネットワーク側無線接続部１０１，１０２，１０３の１つを選択してローカル側無線接続部２０１に接続する。【００２６】
ここで、ネットワーク側無線接続部１０１，１０２，１０３とローカル側無線接続部２０１は、それぞれのアクセスネットワークに対応する無線インタフェース手段が異なるだけで、共通のＩＰパケット処理手段を有する構成としてもよい。【００２７】
以下、無線中継装置１の処理手順について説明する。
(1) ローカル側無線送受信手段２０１は、無線端末装置２１から送信されたアクセス信号を受信処理し、接続制御部３０１に通知する。
(2) 接続制御部３０１は、無線端末装置２１のアクセス信号を検出すると、ネットワーク側無線接続部１０１，１０２，１０３を起動する。ネットワーク側無線接続部１０１，１０２，１０３は、それぞれアクセスネットワーク１１，１２，１３との無線接続処理を行う。
(3) 接続制御部３０１は、最初に無線接続を確立できたネットワーク側無線接続部（ここでは１０１とする）とローカル側無線接続部２０１を接続する。ここで、他のネットワーク側無線接続部１０２，１０３は継続してネットワーク接続手順を実行する。
(4) 無線端末装置２１は、ローカル側無線接続部２０１、接続制御部３０１、ネットワーク側無線接続部１０１を介してアクセスネットワーク１１に接続され、さらに基幹ネットワーク１０に接続され、基幹ネットワーク１０から所要のサービスが提供される。【００２８】
(5) ネットワーク側無線接続部１０２，１０３は、それぞれアクセスネットワーク１２，１３と無線レイヤでの接続を確立すると、そのまま無線接続状態を維持する。ネットワーク側無線接続部１０１，１０２，１０３は、アクセスネットワーク１１，１２，１３との電波状態をモニタし、接続制御部３０１に通知する。電波状態として、受信レベル、実効スループット、遅延量、干渉量の少なくとも１つがモニタされる。なお、無線端末装置２１と接続状態にないネットワーク側無線接続部１０２，１０３は、アクセスネットワーク１２，１３との間で所定のダミーパケットを送受信するか、無線基地局（ＡＰ）から送信される制御信号を受信し、当該電波状態を継続的にモニタする。【００２９】
(6) 接続制御部３０１は、最初に接続したアクセスネットワーク１１および他のアクセスネットワーク１２，１３との電波状態を比較し、最初に接続したアクセスネットワーク１１の電波状態より良好なアクセスネットワークがあれば、ローカル側無線接続部２０１の接続先を電波状態が良好なネットワーク側無線接続部に切り替える処理を行う。電波状態として、受信レベル、実効スループット、遅延量、干渉量をそれぞれモニタする場合には、例えば実効スループットを優先するなど、各パラメータに重み付けをして総合的に電波状態を判断してもよい。ここでの切り替え処理は、異なるアクセスネットワーク間のハンドオーバ処理を利用することができ、例えばモバイルＩＰや新たに規定されるネットワーク・ローカル移動管理（ＮＥＴＬＭＭ：NETwork based Localized Mobility Management)などのプロトコルを利用することができ、無線端末装置２１はアクセスネットワークの変更を意識することなく基幹ネットワーク１０との接続を継続することができる。なお、ローカル側無線接続部２０１と非接続となったネットワーク側無線接続部は、アクセスネットワークとの無線接続を切断せず、無線接続を確立した状態を維持することにより電波状態の変化に対応する。また、ネットワーク側無線接続部１０１，１０２，１０３は、アクセスネットワーク１１，１２，１３との無線接続が切断された場合には、再度アクセスネットワークとの接続処理を行い、無線接続状態を維持する。【００３０】
(7) 接続制御部３０１は、ローカル側無線接続部２０１と無線端末装置２１との無線接続が切断されたことを検出すると、ネットワーク側無線接続部１０１，１０２，１０３に対してそれぞれアクセスネットワーク１１，１２，１３との無線接続の切断処理を行う。【００３１】
以上の (3)〜(6) の処理により、無線端末装置２１は最初に短時間でアクセスネットワーク１１，１２，１３のいずれかを介して基幹ネットワーク１０に接続できるとともに、その後も電波状態のよいアクセスネットワーク１１，１２，１３を選択して基幹ネットワーク１０との接続を維持することができる。【００３２】
また、接続制御部３０１は、接続情報設定部３０２を参照し、接続料金情報やアクセスネットワークの優先順位に基づいて、ローカル側無線接続部２０１とネットワーク側無線接続部１０１，１０２，１０３との接続切替を行ってもよい。例えば、電波状態がある程度以上確保できるアクセスネットワークの中から最も接続料金の安いものを選択したり、無線端末装置２１のアプリケーションが指定する伝送速度に対応したアクセスネットワークなど、ユーザが設定する優先順位に従ったアクセスネットワークを選択してもよい。【００３３】
（第２の実施形態）
図２は、本発明の第２の実施形態を示す。
本実施形態は、図１に示す第１の実施形態の１つのアクセスネットワーク１３とネットワーク側無線接続部１０３、ローカル側無線接続部２０１と無線端末装置２１をそれぞれ無線ＬＡＮに対応させ、それぞれ無線ＬＡＮ１４とネットワーク側無線ＬＡＮ接続部１０４、ローカル側無線ＬＡＮ接続部２０２と無線ＬＡＮ端末装置２２，２３にしたものである。【００３４】
無線中継装置２は、アクセスネットワーク１１，１２とそれぞれ個別に無線接続するネットワーク側無線接続部１０１，１０２と、無線ＬＡＮ１４と無線接続するネットワーク側無線ＬＡＮ接続部１０４と、複数の無線ＬＡＮ端末装置２２，２３と同時に無線接続が可能なローカル側無線ＬＡＮ接続部２０２を備える。また、ネットワーク側無線接続部１０１，１０２およびネットワーク側無線ＬＡＮ接続部１０４と、ローカル側無線ＬＡＮ接続部２０２との間の接続制御を行う接続制御部３０１を備える。接続制御部３０１は、アクセスネットワーク１１，１２とネットワーク側無線接続部１０１，１０２との間、および無線ＬＡＮ１４とネットワーク側無線ＬＡＮ接続部１０４との間の電波状態をそれぞれモニタし、電波状態の良好なネットワーク側無線接続部１０１，１０２およびネットワーク側無線ＬＡＮ接続部１０４の１つを選択してローカル側無線接続部２０２に接続する。【００３５】
本実施形態における接続制御部３０１および接続情報設定部３０２の基本的な動作は第１の実施形態と同様であり、ここでは接続制御部３０１を介してローカル側無線ＬＡＮ接続部２０２とネットワーク側無線ＬＡＮ接続部１０４が接続されている状態を示す。すなわち、無線ＬＡＮ端末装置２２，２３は、無線中継装置２のローカル側無線ＬＡＮ接続部２０２、接続制御部３０１、ネットワーク側無線ＬＡＮ接続部１０４を介して、無線ＬＡＮ１４の無線基地局（ＡＰ）に接続され、無線ＬＡＮ１４を介して基幹ネットワーク１０に接続される。【００３６】
近年、パソコンやＰＤＡだけでなく、携帯電話、ゲーム機、ディジタルカメラ等にも無線ＬＡＮが搭載されている。本実施形態の無線中継装置２は、ローカル側無線ＬＡＮ接続部２０２を無線ＬＡＮ基地局として機能させることにより、これらの機器を様々なアクセスネットワークに接続させることが可能になる。特に、無線ＬＡＮ端末装置２２，２３が最も普及しているIEEE802.11b 規格に準拠した機器であっても、ネットワーク側無線ＬＡＮ接続部１０４として、最新の無線ＬＡＮ技術である高速化技術（IEEE802.11a,g,n)や QoSサポート技術（IEEE802.11e)等を利用することにより、より高速で安定した無線ＬＡＮ接続が可能となる。【００３７】
ここで、本実施形態の特徴は、ネットワーク側無線ＬＡＮ接続部１０４とローカル側無線ＬＡＮ接続部２０２との間に、チャネル変更判断部４０１および動的チャネル変更部４０２を接続し、ネットワーク側無線ＬＡＮで使用されている無線チャネルに応じて、ローカル側無線ＬＡＮの無線チャネルを動的に制御するところにある。【００３８】
接続制御部３０１がネットワーク側無線ＬＡＮ接続部１０４とローカル側無線ＬＡＮ接続部２０２を相互接続しているときに、チャネル変更判断部４０１はネットワーク側無線ＬＡＮ接続部１０４から無線ＬＡＮ１４との接続に使用しているチャネル番号を取得する。動的チャネル変更部４０２は、チャネル変更判断部４０１が取得したネットワーク側チャネル番号と、ローカル側無線ＬＡＮ接続部２０２が使用しているローカル側チャネル番号が同一または近接していることを検出すると、ローカル側チャネル番号をネットワーク側チャネル番号と同一かつ近接していない他のチャネル番号に変更するようにローカル側無線ＬＡＮ接続部２０２に指示する。ローカル側無線ＬＡＮ接続部２０２は、動的チャネル変更部４０２から使用するチャネル番号の変更を指示されたときに、無線ＬＡＮ端末装置２２，２３との間の無線チャネルを変更したチャネル番号に切り替える機能を有する。【００３９】
一般に、 2.4ＧHz帯を使用する無線ＬＡＮシステム(IEEE802.11b,g) では、使用チャネル番号の近傍まで電波干渉を与えることが知られている。そこで、チャネル変更判断部４０１および動的チャネル変更部４０２は、ネットワーク側無線ＬＡＮ接続部１０４が使用しているチャネル番号と同一または近接しているチャネル番号をローカル側無線ＬＡＮ接続部２０２で使用しないように制御する。これにより、ネットワーク側無線ＬＡＮとローカル側無線ＬＡＮとの間の干渉を回避し、双方で良好な通信品質を確保することができる。【００４０】
（第３の実施形態）
第２の実施形態のローカル側無線ＬＡＮ接続部２０２は、チャネル変更判断部４０１および動的チャネル変更部４０２により、ネットワーク側無線ＬＡＮ接続部１０４が使用しているチャネル番号と同一または近接しているチャネル番号を使用しないように制御される。第３の実施形態では、ネットワーク側無線ＬＡＮ接続部１０４とローカル側無線ＬＡＮ接続部２０２がそれぞれ使用する無線チャネル間の干渉パターンに基づき、ローカル側無線ＬＡＮ接続部２０２が使用するチャネル番号に優先度を設定し、その優先度に応じてローカル側無線ＬＡＮ接続部２０２が使用するチャネル番号を選択することを特徴とする。【００４１】
図３は、無線チャネル間の干渉パターンの例を示す。
図３(1) の干渉パターンは、２つの無線チャネルが６チャネル以上離れているときのスペクトラムマスクを示す。この場合には、２つの無線チャネル間に相互干渉がなく、それぞれの無線チャネルは独立したものとして双方とも良好な通信が可能である。【００４２】
図３(2) の干渉パターンは、２つの無線チャネルが３チャネル以内に近接しているときのスペクトラムマスクを示す。この場合には、２つの無線チャネル間に強い干渉がある。しかし、ＣＳＭＡ／ＣＡ（Carrier Sense Multiple Access with Collision Avoidance）のキャリアセンスに基づくアクセス手順では、一方が未使用などでチャネル上に干渉が生じていない時間帯を検出して信号を送信することができるので、スループットは若干低下するものの双方とも良好な通信が可能である。すなわち、ＣＳＭＡ／ＣＡのキャリアセンスが有効に機能するくらい２つの無線チャネルが近接していれば、その２つの無線チャネルの使用が可能となる。【００４３】
図３(3) の干渉パターンは、２つの無線チャネルが４〜５チャネル離れているときのスペクトラムマスクを示す。この場合には、２つの無線チャネル間に弱い干渉がある。そのため、ＣＳＭＡ／ＣＡのキャリアセンスが有効に機能せず、相互干渉があるにもかかわらず信号を送信することがある。その結果、送信失敗を繰り返し、スループットが著しく低下する。すなわち、２つの無線チャネルの関係が図３の (1)と(2) の中間の状態にあれば、その２つの無線チャネルは使用すべきでない。【００４４】
したがって、図３の(1),(2),(3) の順番に、ローカル側無線ＬＡＮ接続部２０２が使用するチャネル番号に優先度Ａ，Ｂ，Ｄを設定する。ここで、ネットワーク側無線ＬＡＮのチャネル番号に対するローカル側無線ＬＡＮのチャネル番号に付与される優先度Ａ，Ｂ，Ｄを図４に示す。【００４５】
図４において、例えばネットワーク側無線ＬＡＮ接続部１０４がチャネル番号５を使用していれば、ローカル側無線ＬＡＮ接続部２０２が使用するチャネル番号１〜13のうち、チャネル番号５から３チャネル以内に近接しているチャネル番号２〜８が優先度Ｂ、チャネル番号５から４〜５チャネル離れているチャネル番号１，９，10が優先度Ｄ、チャネル番号５から６チャネル以上離れているチャネル番号11〜13が優先度Ａとなる。この場合、チャネル変更判断部４０１および動的チャネル変更部４０２は、ローカル側無線ＬＡＮ接続部２０２が使用するチャネル番号として、優先度Ｄのチャネル番号１，９，10を除外し、まず優先度Ａのチャネル番号11〜13のいずれかを選択し、次に優先度Ｂのチャネル番号２〜８のいずれかを選択するように制御する。【００４６】
第２の実施形態は、２つの無線チャネル間の干渉とそのチャネル番号の差を単純に対応付けたものであり、いわば図４における優先度Ｂ，Ｄのチャネル番号を単純に使用しないように制御していることになる。本実施形態では、２つの無線チャネルのスペクトラムマスクから干渉パターンを考慮し、ローカル側無線ＬＡＮ接続部２０２が使用するチャネル番号に優先度Ａ，Ｂ，Ｄを設定し、優先度Ｄのチャネル番号を使用せず、優先度Ａまたは優先度Ｂのチャネル番号を使用可能としている。これにより、使用チャネルの範囲を広げることができる。
なお、本実施形態では、スペクトラムマスクに基づいて干渉パターンを推定する方法について説明したが、それ以外の方法により干渉パターンを推定してもよい。例えば、実際の帯域外輻射のパターンが実測等で分かっている場合には、これを用いて優先度を設定することにより、さらに使用チャネルの範囲を広げることも可能である。【００４７】
（第４の実施形態）
第２の実施形態では、ローカル側無線ＬＡＮ接続部２０２がネットワーク側無線ＬＡＮ接続部１０４で使用しているチャネル番号と同一のチャネル番号を使用しないようにしていた。第４の実施形態では、第３の実施形態の手法に加えて、同一のチャネル番号を積極的に使用することを特徴とする。【００４８】
図３(2) の干渉パターンにおいて、一方が無線チャネル１のときに他方が無線チャネル２，３，４を使用するより、むしろ無線チャネル１を使用した方が好ましい。それは以下の理由による。無線ＬＡＮにおけるＣＳＭＡ／ＣＡでは、実際の信号受信電力に基づいて無線チャネルに送信されている信号の有無を判別する物理的なキャリアセンスの他に、受信信号を解読して得られる無線チャネルの予約時間に基づいて将来の信号の有無を判別する仮想的なキャリアセンスが利用されている。このため、干渉波である他の無線ＬＡＮが使用している無線チャネルと同一無線チャネルを使用すれば、物理的なキャリアセンスと仮想的なキャリアセンスの両方により干渉を検出できる。一方、異なる無線チャネルを使用すると、物理的なキャリアセンスのみで干渉回避することになるために干渉回避の精度が低下し、干渉の影響を受けやすくなる。よって、他の無線ＬＡＮと同一または近接した無線チャネルを使用せざるをえない状況では、あえて他の無線ＬＡＮが使用している無線チャネルと同一無線チャネルを使用する方が好ましいことになる。【００４９】
本実施形態では、図３(2) の干渉パターンを同一無線チャネル(2)-1 と近接無線チャネル(2)-2 に分け、図３の(1),(2)-1,(2)-2,(3) の順番に、ローカル側無線ＬＡＮ接続部２０２が使用するチャネル番号に優先度Ａ，Ｂ，Ｃ，Ｄを設定する。ここで、ネットワーク側無線ＬＡＮ接続部１０４のチャネル番号に対するローカル側無線ＬＡＮ接続部２０２のチャネル番号に付与される優先度Ａ，Ｂ，Ｃ，Ｄを図５に示す。【００５０】
図５において、例えばネットワーク側無線ＬＡＮ接続部１０４がチャネル番号５を使用していれば、ローカル側無線ＬＡＮ接続部２０２が使用可能なチャネル番号１〜13のうち、同一のチャネル番号５が優先度Ｂ、チャネル番号５から１〜３チャネル以内に近接しているチャネル番号２〜４，６〜８が優先度Ｃ、チャネル番号５から４〜５チャネル離れているチャネル番号１，９，10が優先度Ｄ、チャネル番号５から６チャネル以上離れているチャネル番号11〜13が優先度Ａとなる。この場合、チャネル変更判断部４０１および動的チャネル変更部４０２は、ローカル側無線ＬＡＮ接続部２０２が使用するチャネル番号として、優先度Ｄのチャネル番号１，９，10を除外し、まず優先度Ａのチャネル番号11〜13のいずれかを選択し、次に優先度Ｂのチャネル番号５を選択し、次に優先度Ｃのチャネル番号２〜４，６〜８のいずれかを選択するように制御する。【００５１】
第２の実施形態では、結果的に図５における優先度Ａのチャネル番号を使用し、優先度Ｂ〜Ｄのチャネル番号を使用しないように制御していたが、本実施形態では、優先度Ａ，Ｂ，Ｃのチャネル番号を優先度に応じて使用することにより、使用チャネルの範囲を広げることができる。特に、第３の実施形態に対して、ネットワーク側無線ＬＡＮ接続部１０４で使用しているチャネル番号と同一のチャネル番号の優先度を高く設定するところが異なる。【００５２】
（第５の実施形態）
図６は、本発明の第５の実施形態を示す。
第５の実施形態は、図２に示す第２の実施形態の無線中継装置２のネットワーク側の接続先をアクセスネットワーク１１とした構成である。すなわち、無線ＬＡＮ端末装置２２，２３は、無線中継装置２のローカル側無線ＬＡＮ接続部２０２、接続制御部３０１、ネットワーク側無線接続部１０１を介して、アクセスネットワーク１１の無線基地局（ＡＰ）に接続され、アクセスネットワーク１１を介して基幹ネットワーク１０に接続される。【００５３】
本実施形態では、チャネル変更判断部４０１がネットワーク側無線ＬＡＮ接続部１０４を用いて周辺の無線ＬＡＮで使用されているチャネル番号を取得する。動的チャネル変更部４０２は、チャネル変更判断部４０１が取得した周辺の無線ＬＡＮで使用されているチャネル番号と、ローカル側無線ＬＡＮ接続部２０２が使用しているローカル側チャネル番号が同一または近接していることを検出すると、ローカル側チャネル番号をネットワーク側チャネル番号と同一かつ近接していない他のチャネル番号に変更するようにローカル側無線ＬＡＮ接続部２０２に指示する。ローカル側無線ＬＡＮ接続部２０２は、動的チャネル変更部４０２から使用するチャネル番号の変更を指示されたときに、無線ＬＡＮ端末装置２２，２３との間の無線チャネルを変更したチャネル番号に切り替える機能を有する。【００５４】
最近の無線ＬＡＮは普及に伴い、非常に多くの無線ＬＡＮ基地局が設置されているので、空きチャネルが少なかったり、無線ＬＡＮの利用状況がユーザの移動等に伴って頻繁に変化する。そのため、ネットワーク側無線ＬＡＮ接続部１０４が稼働していないときに、周辺の無線ＬＡＮのチャネル利用状況を調査し、その結果をローカル側無線ＬＡＮ接続部２０２で使用するチャネル番号に反映させることにより、ローカル側無線ＬＡＮの通信品質を確保することができる。【００５５】
なお、無線中継装置２に収容されるネットワーク側無線ＬＡＮ接続部１０４とローカル側無線ＬＡＮ接続部２０２が近接しており、双方の干渉レベルが高い。そのため、第２の実施形態は、双方で使用するチャネル番号が同一または近接しないように、ローカル側無線ＬＡＮ接続部２０２の使用チャネルを制御している。一方、第５の実施形態では、無線中継装置２のネットワーク側無線ＬＡＮ接続部１０４は信号を送信せず、周辺の無線ＬＡＮをモニタしているだけなので、ローカル側無線ＬＡＮ接続部２０２との相互干渉はない。ローカル側無線ＬＡＮに対して干渉源になるのは周辺の無線ＬＡＮであり、かつローカル側無線ＬＡＮが使用する無線チャネルとごく近接している無線チャネルのみである。したがって、ローカル側無線ＬＡＮ接続部２０２では、周辺の無線ＬＡＮが使用しているチャネル番号にごく近接しているチャネル番号を避けて使用すればよい。【００５６】
また、第３の実施形態と同様に、周辺の無線ＬＡＮとローカル側無線ＬＡＮ接続部２０２がそれぞれ使用する無線チャネル間の干渉パターンに基づき、ローカル側無線ＬＡＮ接続部２０２が使用するチャネル番号に優先度を設定し、その優先度に応じてローカル側無線ＬＡＮ接続部２０２が使用するチャネル番号を選択してもよい。【００５７】
さらに、第４の実施形態と同様に、ローカル側無線ＬＡＮ接続部２０２は周辺の無線ＬＡＮで使用されているチャネル番号と同一のチャネル番号を積極的に使用するようにしてもよい。周辺の無線ＬＡＮで使用されてるチャネル番号に対するローカル側無線ＬＡＮ接続部２０２のチャネル番号に付与される優先度Ａ，Ｂ，Ｃを図７に示す。【００５８】
図７において、例えば周辺の無線ＬＡＮでチャネル番号５を使用していれば、ローカル側無線ＬＡＮ接続部２０２が使用可能なチャネル番号１〜13のうち、同一のチャネル番号５が優先度Ｂ、チャネル番号５から１〜２チャネル以内に近接しているチャネル番号３〜４，６〜７が優先度Ｃ、チャネル番号５から３チャネル以上離れているチャネル番号１〜２，８〜13が優先度Ａとなる。この場合、チャネル変更判断部４０１および動的チャネル変更部４０２は、ローカル側無線ＬＡＮ接続部２０２が使用するチャネル番号として、まず優先度Ａのチャネル番号１〜２，８〜13のいずれかを選択し、次に優先度Ｂのチャネル番号５を選択し、次に優先度Ｃのチャネル番号３〜４，６〜７のいずれかを選択するように制御する。【００５９】
（第６の実施形態）
図８は、本発明の第６の実施形態を示す。
本実施形態は、図２に示す第２の実施形態の無線ＬＡＮ１４とネットワーク側無線ＬＡＮ接続部１０４をＷｉＭＡＸに対応させ、それぞれＷｉＭＡＸネットワーク１５とネットワーク側ＷｉＭＡＸ接続部１０５にしたものである。本実施形態における接続制御部３０１および接続情報設定部３０２の基本的な動作は第２の実施形態と同様である。【００６０】
無線中継装置３は、アクセスネットワーク１１，１２とそれぞれ個別に無線接続するネットワーク側無線接続部１０１，１０２と、ＷｉＭＡＸネットワーク１５と無線接続するネットワーク側ＷｉＭＡＸ接続部１０５と、複数の無線ＬＡＮ端末装置２２，２３と同時に無線接続が可能なローカル側無線ＬＡＮ接続部２０２を備える。また、ネットワーク側無線接続部１０１，１０２およびネットワーク側ＷｉＭＡＸ接続部１０５と、ローカル側無線ＬＡＮ接続部２０２との間の接続制御を行う接続制御部３０１を備える。接続制御部３０１は、アクセスネットワーク１１，１２とネットワーク側無線接続部１０１，１０２との間、およびＷｉＭＡＸネットワーク１５とネットワーク側ＷｉＭＡＸ接続部１０５との間の電波状態をそれぞれモニタし、電波状態の良好なネットワーク側無線接続部１０１，１０２およびネットワーク側ＷｉＭＡＸ接続部１０５の１つを選択してローカル側無線接続部２０２に接続する。また、接続制御部３０１は、アクセスネットワーク１１，１２およびＷｉＭＡＸネットワーク１５ごとの接続料金情報や優先順位情報を設定した接続情報設定部３０２を接続し、当該接続情報を参照してネットワーク側無線接続部１０１，１０２またはネットワーク側ＷｉＭＡＸ接続部１０５の１つを選択してローカル側無線接続部２０３に接続する。【００６１】
ここで、無線ＬＡＮ端末装置２２，２３は、無線中継装置３のローカル側無線ＬＡＮ接続部２０２、接続制御部３０１、ネットワーク側ＷｉＭＡＸ接続部１０５を介して、ＷｉＭＡＸネットワーク１５の無線基地局（ＡＰ）に接続され、ＷｉＭＡＸネットワーク１５を介して基幹ネットワーク１０に接続される。本実施形態では、ネットワーク側ＷｉＭＡＸ接続部１０５とローカル側無線ＬＡＮ接続部２０２との間に、チャネル変更判断部４０１および動的チャネル変更部４０２を接続し、ネットワーク側ＷｉＭＡＸ接続部１０５が稼働中に、ローカル側無線ＬＡＮの無線チャネルを動的に制御することを特徴とする。【００６２】
すなわち、接続制御部３０１がネットワーク側ＷｉＭＡＸ接続部１０５とローカル側無線ＬＡＮ接続部２０２を相互接続しているときに、チャネル変更判断部４０１はネットワーク側ＷｉＭＡＸ接続部１０５からＷｉＭＡＸ接続情報を取得する。動的チャネル変更部４０２は、チャネル変更判断部４０１からネットワーク側ＷｉＭＡＸ接続部１０５が稼働中であることを検出すると、ローカル側チャネル番号をＷｉＭＡＸが使用するチャネル番号から十分に離れたチャネル番号に変更するようにローカル側無線ＬＡＮ接続部２０２に指示する。ローカル側無線ＬＡＮ接続部２０２は、動的チャネル変更部４０２から使用するチャネル番号の変更を指示されたときに、無線ＬＡＮ端末装置２２，２３との間の無線チャネルを変更したチャネル番号に切り替える機能を有する。【００６３】
2.5ＧHz帯を使用するＷｉＭＡＸでは、無線ＬＡＮで使用されるチャネル番号１〜13のうち周波数の高いチャネル番号、例えばチャネル番号７〜13が相互干渉となる。そこで、チャネル変更判断部４０１および動的チャネル変更部４０２は、ネットワーク側ＷｉＭＡＸ接続部１０５が稼働中のときに、図９に示すようにチャネル番号１〜６の優先度をＡ、チャネル番号７〜13の優先度をＤとし、優先度Ｄのチャネル番号をローカル側無線ＬＡＮ接続部２０２で使用しないように制御する。これにより、ＷｉＭＡＸネットワークとローカル側無線ＬＡＮとの間の干渉を回避し、双方で良好な通信品質を確保することができる。【００６４】
（第７の実施形態）
図１０は、本発明の第７の実施形態を示す。
第７の実施形態は、図６に示す第５の実施形態において、接続中のアクセスネットワーク１１とネットワーク側無線接続部１０１をＷｉＭＡＸに対応させ、ＷｉＭＡＸネットワーク１５とネットワーク側ＷｉＭＡＸ接続部１０５にしたものである。すなわち、無線ＬＡＮ端末装置２２，２３は、無線中継装置２のローカル側無線ＬＡＮ接続部２０２、接続制御部３０１、ネットワーク側ＷｉＭＡＸ接続部１０５を介して、ＷｉＭＡＸネットワーク１５の無線基地局（ＡＰ）に接続され、ＷｉＭＡＸネットワーク１５を介して基幹ネットワーク１０に接続される。【００６５】
本実施形態におけるチャネル変更判断部４０１には、ネットワーク側無線ＬＡＮ接続部１０４から周辺の無線ＬＡＮで使用されているチャネル番号が入力し、さらにネットワーク側ＷｉＭＡＸ接続部１０５から稼働情報が入力する。動的チャネル変更部４０２は、チャネル変更判断部４０１が取得した周辺の無線ＬＡＮで使用されているチャネル番号を考慮してローカル側無線ＬＡＮ接続部２０２が使用するチャネル番号を設定するが、さらにネットワーク側ＷｉＭＡＸ接続部１０５の稼働情報に応じて、ＷｉＭＡＸで使用される無線チャネルに近接しないチャネル番号をローカル側無線ＬＡＮ接続部２０２に設定する。例えば、図７および図９に示すローカル側無線ＬＡＮのチャネル番号の優先度を合成したものを用いる。すなわち、図７において、ＷｉＭＡＸ稼働中はローカル側無線ＬＡＮのチャネル番号７〜13に優先度Ｄを設定し、チャネル番号１〜６に付与した優先度Ａ〜Ｃに応じたチャネル番号の選択をすればよい。
【図１】
2009031282.tif 000003
【図２】
2009031282.tif 000004
【図３】
2009031282.tif 000005
【図４】
2009031282.tif 000006
【図５】
2009031282.tif 000007
【図６】
2009031282.tif 000008
【図７】
2009031282.tif 000009
【図８】
2009031282.tif 000010
【図９】
2009031282.tif 000011
【図１０】
2009031282.tif 000012
【国際調査報告】
2009031282.tif 000013
2009031282.tif 000014
2009031282.tif 000015
2009031282.tif 000016